【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
コンピューターユーザーからの検索クエリに応答するための、コンピューター実装される方法であって、
コンピューターユーザーから受信された検索クエリに応答して検索結果を取得するステップと、
取得された検索結果に従って、複数のユーザー意図を識別するステップと、
前記取得された検索結果を検索結果の複数のグループにグループ化するステップであって、前記複数のグループの各々が識別された複数のユーザー意図のうちの１つに対応する、グループ化するステップと、
前記複数のユーザー意図から第１のユーザー意図を選択するステップと、
第１の検索結果ページを含む１以上の検索結果ページを生成するステップであって、前記第１の検索結果ページは、選択された第１のユーザー意図に対応する検索結果のグループから生成され、前記１以上の検索結果ページの各々の検索結果ページの前記検索結果は、前記複数のユーザー意図のうち単一のユーザー意図に合わせられる、ステップと、
前記検索クエリに応答して、少なくとも前記第１の検索結果ページを前記コンピューターユーザーに提供するステップと
を含むコンピューター実装方法。
【請求項２】
前記コンピューターユーザーから受信された前記検索クエリを拡張するステップをさらに含み、前記検索クエリに応答して検索結果を取得するステップが、拡張された検索クエリのための検索結果を取得するステップを含む、請求項１に記載のコンピューター実装方法。
【請求項３】
前記複数のユーザー意図から、前記第１のユーザー意図とは異なるユーザー意図である第２のユーザー意図を選択するステップと、
第２のユーザー意図に対応する検索結果のグループについて、意図に特定的な検索クエリを決定するステップと、
前記意図に特定的な検索クエリを、関連検索クエリとして、前記生成された検索結果ページに含めるステップと
をさらに含む請求項１に記載のコンピューター実装方法。
【請求項４】
前記検索結果ページを生成するステップが、前記選択された第１のユーザー意図に対応する検索結果のグループから前記検索結果ページを生成するステップと、前記第２のユーザー意図に対応する検索結果のグループからの検索結果のサブセットを、前記検索結果ページ上のあまり目立たない位置に含めるステップとを含み、１以上の関連検索リンクは前記第１のユーザー意図及び前記第２のユーザー意図に対応する、請求項３に記載のコンピューター実装方法。
【請求項５】
前記第２のユーザー意図に対応する検索結果のグループからの検索結果の前記サブセットが、前記生成された検索結果ページの折り目の下に含まれ、前記折り目は前記折り目の上になるように前記生成された検索結果ページ上の位置を示し、前記第１のユーザー意図に対応する検索結果の前記グループからの検索結果の前記サブセットは、最初に見え、前記折り目の下にあり、前記第２のユーザー意図に対応する検索結果のグループからの検索結果の前記サブセットは、前記生成された検索結果ページの表示に最初に見えない、請求項４に記載のコンピューター実装方法。
【請求項６】
前記第１のユーザー意図に対応する検索結果のグループを除く検索結果の前記複数のグループの各々について、複数の意図に特定的な検索クエリを決定するステップと、
前記複数の意図に特定的な検索クエリのサブセットを、関連検索クエリのセットとして、前記生成された検索結果ページに含めるステップと
をさらに含む請求項１のコンピューター実装方法。
【請求項７】
少なくともプロセッサを備えるコンピューティングシステムで実行されると、ユーザーからの検索クエリに応答するために方法を実行する、コンピューター実行可能な命令を有するコンピューター可読媒体であって、前記方法は、
コンピューターユーザーから受信された検索クエリに応答して検索結果を取得するステップと、
取得された検索結果に従って、複数のユーザー意図を識別するステップと、
前記取得された検索結果を複数のグループにグループ化するステップであって、前記複数のグループの各々は識別された複数のユーザー意図のうちの１つに対応する、ステップと、
前記検索クエリに基づいて前記複数のユーザー意図から第１のユーザー意図を選択するステップと、
前記コンピューターユーザーから受信した検索クエリに応答して前記選択された第１のユーザー意図に対応する前記検索結果のグループから検索結果ページを生成するステップと、
前記検索クエリに応答して、前記生成された検索結果ページを前記コンピューターユーザーに提供するステップと
を含み、前記検索結果のグループは、検索結果ページの各々が単一のユーザー意図の検索結果のみを含むように、検索結果ページに合わせられる、コンピューター可読媒体。
【請求項８】
前記コンピューターユーザーから受信された前記検索クエリを拡張するステップをさらに含み、前記検索クエリに応答して検索結果を取得するステップが、拡張された検索クエリのための検索結果を取得するステップを含む、請求項７に記載のコンピューター可読媒体。
【請求項９】
前記複数のユーザー意図から、前記第１のユーザー意図とは異なるユーザー意図である第２のユーザー意図を選択するステップと、
第２のユーザー意図に対応する検索結果のグループについて、意図に特定的な検索クエリを決定するステップと、
前記意図に特定的な検索クエリを、関連検索クエリとして、前記第１のユーザー意図に対応する１以上の関連検索クエリを有する、前記生成された検索結果ページに含め、前記第２のユーザー意図に対応する前記関連検索クエリは、前記第１のユーザー意図に対応する１以上の関連検索クエリと比較して前記検索結果ページ上のあまり目立たない位置に含められるステップと
をさらに含む請求項８に記載のコンピューター可読媒体。
【請求項１０】
前記検索結果ページを生成するステップが、前記選択された第１のユーザー意図に対応する検索結果のグループから前記検索結果ページを生成するステップと、また、前記第２のユーザー意図に対応する検索結果のグループからの検索結果のサブセットを、前記検索結果ページ上のあまり目立たない位置に含めるステップとを含む、請求項７に記載のコンピューター可読媒体。
【請求項１１】
前記第２のユーザー意図に対応する検索結果のグループからの検索結果の前記サブセットと、前記第１のユーザー意図に対応する検索結果のグループからの検索結果のサブセットとが、前記生成された検索結果ページの折り目の下に含まれる、請求項１０に記載のコンピューター可読媒体。
【請求項１２】
請求項１０のコンピューター可読媒体であって、前記方法は、
前記第１のユーザー意図に対応する検索結果のグループを除く検索結果の前記複数のグループの各々について、複数の意図に特定的な検索クエリを決定するステップと、
前記複数の意図に特定的な検索クエリのサブセットを、関連検索クエリのセットとして、前記生成された検索結果ページに含めるステップと
をさらに含む、コンピューター可読媒体。
【請求項１３】
プロセッサと、メモリとを含む、オンライン検索サービスを提供するためのコンピューターシステムであって、前記プロセッサが、コンピューターユーザーからの検索クエリに応答するために、追加的なコンポーネントの一部として、または追加的なコンポーネントと連携して、前記メモリに記憶された命令を実行し、
前記追加的なコンポーネントが、
それにより前記コンピューターシステムが、ネットワーク上で、前記コンピューターユーザーからの前記検索クエリを受信し、生成された検索結果ページを前記コンピューターユーザーに戻す、通信コンポーネントと、
前記コンピューターユーザーからの前記検索クエリを受信する前記コンピューターシステムに応答して、コンテンツストアから複数の検索結果を取得する検索結果取り出しコンポーネントであって、取得された検索結果の各々はスコアに関連している、検索結果取り出しコンポーネントと、
前記コンピューターユーザーから前記検索クエリを受信する前記コンピューターシステムに応答して、前記検索結果取り出しコンポーネントによって取得された前記検索結果から複数のユーザー意図を識別する意図識別コンポーネントと、
前記検索クエリに基づいて、前記複数のユーザー意図から、前記検索クエリの一次意図としての第１のユーザー意図を選択する意図選択コンポーネントであって、前記最も高いスコアの検索結果を有する検索結果のグループに従って、前記複数のユーザーの意図から、前記第１ユーザーの意図を選択する、前記意図選択コンポーネントと、
前記検索結果取り出しコンポーネントによって取得された前記検索結果を、検索結果の複数のグループにグループ化する検索結果グループ化コンポーネントであって、前記複数のグループの各々が識別された複数のユーザー意図のうちの１つに対応する、検索結果グループ化コンポーネントと、
前記検索クエリの受信に応答して、選択された第１のユーザー意図に対応する検索結果のグループから、検索結果ページを生成する検索結果ページ生成器であって、各検索結果ページが単一のユーザー意図を目的とするように、前記検索結果のグループが検索結果ページに合うように、前記１以上の検索結果ページを生成する、前記検索結果ページ生成器と
を含む、
コンピューターシステム。
【請求項１４】
請求項１３に記載のコンピューターシステムであって、前記取得された検索結果の各々はスコアに関連し、前記複数のユーザー意図から第１のユーザー意図を選択するステップは、前記最も高いスコアの検索結果を有する前記検索結果のグループに対応する第１のユーザー意図を選択するステップを含む、コンピューターシステム。
【請求項１５】
請求項１４に記載のコンピューターシステムであって、
前記第１のユーザー意図に対応する検索結果のグループを除く検索結果の前記複数のグループの各々について、意図に特定的な検索クエリを決定する意図特定検索クエリコンポーネントをさらに含み、
前記検索結果ページ生成器は、前記生成された検索結果ページにおいて、関連した検索クエリのセットとして複数の意図に特定的な検索クエリを含む、コンピューターシステム。
【請求項１６】
前記検索結果のグループの各々は、検索結果のタブ付きビューとして、検索結果ページ上に低次される、請求項７に記載のコンピューター可読媒体。
【請求項１７】
前記取得された検索結果の各々はスコアと関連し、前記複数のユーザー意図から第１のユーザー意図を選択するステップは、最も高いスコアの検索結果を有する検索結果の前記グループに対応する前記第１ユーザー意図を選択するステップを含む、請求項１に記載のコンピューター実装方法。
【請求項１８】
請求項８に記載のコンピューター可読媒体であって、前記取得された検索結果の各々はスコアに関連し、前記複数のユーザー意図から第１のユーザー意図を選択するステップは、前記最も高いスコアの検索結果を有する前記検索結果のグループに対応する第１のユーザー意図を選択するステップを含む、コンピューター可読媒体。
【請求項１９】
請求項１３に記載のコンピューターシステムであって、前記検索結果のグループの各々は、検索結果のタブ付きビューとして前記検索結果ページ上に提示される、コンピューターシステム。
【請求項２０】
請求項１８に記載のコンピューター可読媒体であって、各検索結果に関連する前記スコアは、ユーザーコンテキスト情報、明示的なユーザプロファイル情報、ユーザー嗜好、及び前記検索クエリに対する前記検索結果の関連度のうち少なくとも１つに従って決定される、コンピューター可読媒体。